(57)【要約】【課題】  ネットワーク上にマジックパケットを送信できるホストが存在しないのにプリンタが省電力状態に移行してしまい、ネットワークから起動できなることを防止する。【解決手段】  ネットワーク上のホストに問い合わせ、ホストからの応答が無い場合は省電力状態に移行しないプリンタと、プリンタからの問い合わせに応答するホストからなる。【選択図】  図１
2006350800.tif 000002
【特許請求の範囲】
【請求項１】
ネットワークを介して印刷情報を送信する情報処理装置と、前記情報処理装置から送信される印刷情報を受信し印字するプリンタ装置とを含み、
前記プリンタ装置は、
前記ネットワークに接続された前記情報処理装置に対して情報を要求する要求情報を送信する要求情報送信手段と、
前記情報処理装置からの応答情報を受信する応答情報受信手段と、
前記情報処理装置から送信される前記電力制御コマンドを受信する手段と、
少なくとも２つの電力状態を有し、前記電力制御コマンドによって前記電力状態を切り替える手段と、
前記情報処理装置からの応答情報の有無によって前記電力状態の制御の条件を切り替える手段と、
を含み、
前記情報処理装置は、
前記プリンタ装置から送信される要求情報を受信する手段と、
前記要求情報に対応した応答情報を生成し前記プリンタ装置に対して送信する応答情報送信手段と、
前記ネットワークに接続されたプリンタ装置の内、任意の前記プリンタ装置に対応する電力制御コマンドを生成する手段と、
を有することを特徴とする画像形成システム。
【請求項２】
ネットワークインタフェース部および電力制御部以外の部分に電力を供給する第１の電力供給手段と、
ネットワークインタフェース部および電力制御部にのみ電力を供給する第２の電力供給手段と、
を有し、
通常電力状態においては、前記第１の電力供給手段および第２の電力供給手段を有効にし、
省電力状態においては、第１の電力供給手段の無効とし第２の電力供給手段のみを有効とすることを特徴とする前記プリンタ装置を含む、
請求項１記載の画像形成システム。
【請求項３】
省電力状態に移行する前にネットワーク上の前記情報処理装置に対して前記要求情報を送信し、それに対応する前記応答情報が得られない場合には前記省電力状態には移行しないことを特徴とする前記プリンタ装置を含む、
請求項２記載の画像形成システム。
【請求項４】
前記省電力状態において前記電力制御パケットを受信すると通常電力状態に復帰することを特徴とする前記プリンタ装置を含む、
請求項２もしくは３記載の画像形成システム。
【請求項５】
ネットワークインタフェース部以外の部分に電力する第１の電力供給手段と、
ネットワークインタフェース部にのみ電力を供給する第２の電力供給手段と、
を有し、
通常電力状態においては、前記第１の電力供給手段および第２の電力供給手段を有効にし、
省電力状態においては、第１の電力供給手段の無効とし第２の電力供給手段のみを有効とすることを特徴とする請求項２から請求項４のいずれかに記載のプリンタ装置。
【請求項６】
プリンタ装置から送信される要求情報を受信する手段と、
要求情報に対応した応答情報を生成し前記プリンタ装置に対して送信する応答情報送信手段と、
ネットワークに接続されたプリンタ装置の内、任意の前記プリンタ装置に対応する電力制御コマンドを生成する手段と、
を有することを特徴とする情報処理装置。
【請求項７】
前記省電力状態において前記電力制御パケットを受信すると通常電力状態に復帰することを特徴とする請求項４記載のプリンタ装置。
【請求項８】
省電力状態に移行する前にネットワーク上の前記情報処理装置に対して前記要求情報を送信し、それに対応する前記応答情報が得られない場合には前記省電力状態には移行しないことを特徴とする請求項３記載のプリンタ装置。
【請求項９】
ネットワークインタフェース部および電力制御部、プリント・エンジン部以外の部分に電力を供給する第１の電力供給手段と、
ネットワークインタフェース部および電力制御部にのみ電力を供給する第２の電力供給手段と、
プリント・エンジン部にのみ電力を供給する第3の電力供給手段と、
を有し、
通常電力状態においては、前記第１の電力供給手段および第２の電力供給手段および第３の電力供給手段を有効にし、
第1の省電力状態においては、第１の電力供給手段の無効とし第２の電力供給手段のみを有効とし、
第２の省電力状態においては、第３の電力供給手段のみを無効とすることを特徴とする前記プリンタ装置を含む、
請求項１記載の画像形成システム。
【請求項１０】
省電力状態に移行する前にネットワーク上の前記情報処理装置に対して前記要求情報を送信し、それに対応する前記応答情報が得られない場合には前記第1の省電力状態には移行しないことを特徴とする前記プリンタ装置を含む、
請求項９記載の画像形成システム。
【請求項１１】
前記第1の省電力状態および第2の省電力状態において前記電力制御パケットを受信すると通常電力状態に復帰することを特徴とする前記プリンタ装置を含む、
請求項９もしくは１０記載の画像形成システム。
【請求項１２】
ネットワークインタフェース部および電力制御部、プリント・エンジン部以外の部分に電力を供給する第１の電力供給手段と、
ネットワークインタフェース部および電力制御部にのみ電力を供給する第２の電力供給手段と、
プリント・エンジン部にのみ電力を供給する第3の電力供給手段と、
を有し、
通常電力状態においては、前記第１の電力供給手段および第２の電力供給手段および第３の電力供給手段を有効にし、
第1の省電力状態においては、第１の電力供給手段の無効とし第２の電力供給手段のみを有効とし、
第２の省電力状態においては、第３の電力供給手段のみを無効とすることを特徴とする請求項９から請求項１１のいずれかに記載のプリンタ装置。
【請求項１３】
省電力状態に移行する前にネットワーク上の前記情報処理装置に対して前記要求情報を送信し、それに対応する前記応答情報が得られない場合には前記第1の省電力状態には移行しないことを特徴とする請求項１０記載のプリンタ装置。
【請求項１４】
前記第1の省電力状態および第2の省電力状態において前記電力制御パケットを受信すると通常電力状態に復帰することを特徴とする請求項１１記載のプリンタ装置。
【発明の詳細な説明】
【技術分野】
【０００１】
本発明は、ネットワークに接続されたプリンタにおける省電力の技術に関する。
【背景技術】
【０００２】
従来、ネットワークに接続されたプリンタの省電力に関する技術はいくつか提案されている。
【０００３】
例えば、所定の時間印刷ジョブを受信しなかった場合比較的消費電力の大きいプリント・エンジン部への電力供給を停止する方法等がある。
【０００４】
また、更に省電力の効果を高めるために、プリントコントローラ部においてもネットワークインタフェース部等の起動に必要な部分を除き、ＣＰＵへの電力供給を停止する方法が提案されている。この場合、ネットワークインタフェース部が所定のパケットを受信すると信号を発生してＣＰＵを起動させるというものであるが、起動の条件となるパケットを自装置宛に設定した場合、ブロードキャスト・パケットによっても起動するため接続しているネットワークによっては、頻繁にＣＰＵを起動することになってしまい省電力効果が薄れてしまう。そのため、その起動条件に設定する方法等が提案されている。
【０００５】
又、従来例としては、例えば特許文献１をあげることが出来る。
【特許文献１】特開２００２-２８７９３６号公報
【発明の開示】
【発明が解決しようとする課題】
【０００６】
しかしながら、上記従来例では次の問題があった。
【０００７】
ネットワーク上にマジックパケットを送信できるホスト・コンピュータが存在しないにも係らずプリンタが省電力状態に移行した場合、ネットワークからはプリンタを通常状態に復帰させることが出来なくなってしまう。その都度、ユーザはパネル操作によってプリンタを通常状態に復帰させるか、電源を入れ直す必要があり不便だった。
【０００８】
（目的）
本発明の目的は、ネットワークからの操作以外でしか省電力状態から通常状態に復帰できなくなることを防止し、省電力効果と利便性を高めることである。
【課題を解決するための手段】
【０００９】
上記目的を達成するために本発明は、
ネットワークを介して印刷情報を送信する情報処理装置と、前記情報処理装置から送信される印刷情報を受信し印字するプリンタ装置とを含み、
前記プリンタ装置は、
前記ネットワークに接続された前記情報処理装置に対して情報を要求する要求情報を送信する要求情報送信手段と、
前記情報処理装置からの応答情報を受信する応答情報受信手段と、
前記情報処理装置から送信される前記電力制御コマンドを受信する手段と、
少なくとも２つの電力状態を有し、前記電力制御コマンドによって前記電力状態を切り替える手段と、
前記情報処理装置からの応答情報の有無によって前記電力状態の制御の条件を切り替える手段と、
を含み、
前記情報処理装置は、
前記プリンタ装置から送信される要求情報を受信する手段と、
前記要求情報に対応した応答情報を生成し前記プリンタ装置に対して送信する応答情報送信手段と、
前記ネットワークに接続されたプリンタ装置の内、任意の前記プリンタ装置に対応する電力制御コマンドを生成する手段と、
を有することを特徴とする画像形成システム
を特徴とする。
【発明の効果】
【００１０】
以上、説明したように本出願の第1の発明によれば、ネットワーク上にプリンタ装置を起動するマジックパケットを送信する機能を持つホスト・コンピュータが存在する場合のみ、省電力状態に移行するので誤ってプリンタ装置をネットワークからの操作で起動できない状態に陥ることがない。
【００１１】
本出願の第２の発明によれば、ネットワーク上にプリンタ装置を起動するマジックパケットを送信する機能を持つホスト・コンピュータが存在しない場合でも、通常状態よりも消費電力を抑えた状態に移行することができるので省電力効果を得ることができる。
【発明を実施するための最良の形態】
【００１２】
本発明の実施例について図を基に説明する。
【００１３】
（第１の実施例）
図１は、本発明のシステムを良く表す構成図であり、同図において１０１はネットワーク１０２に接続し各種処理を行うホスト・コンピュータ、１０２はローカル・エリア・ネットワーク等のネットワーク、１０３はネットワーク１０２に接続し受信した印刷ジョブを印字するプリンタである。
【００１４】
次に動作について説明する。
【００１５】
通常の印字動作では、ホスト・コンピュータ１０１は印刷ジョブを生成し、ネットワーク１０２を介して所望のプリンタ１０３に送信する。ホスト・コンピュータ１０１から印刷ジョブを受信したプリンタ１０３は、印刷ジョブを印字する。
【００１６】
図２は、本発明のプリンタの構成をよく表す構成図であり、同図において２０２はネットワーク１０２に接続するためのネットワークインタフェース部、２０３はプリンタ１０３の制御を司る制御部、２０４は内部バス、２０５は制御部で動作するプログラムの格納や、ワークエリアとして印刷ジョブや情報を一時的に格納するメモリ部、２０６は印字を実行するプリント・エンジン部（不図示）と接続するエンジンインタフェース部、２０７はプリント・エンジン部（不図示）との間で画像情報を送受信するエンジンインタフェースバス、２０８は各部に電力を供給する電源部、２０９は制御部２０３およびメモリ部２０５、エンジンインタフェース部２０６、プリント・エンジン部（不図示）へ電力を供給し、省電力状態では電力の供給を停止する第１の電力、２１０はネットワークインタフェース部２０２および電力制御部２１１へ常に電力を供給する第２の電力である。２１２はネットワークインタフェース部２０２からの起動信号、２１３は電源部２０８を制御する電力制御信号である。
【００１７】
次に動作について説明する。
【００１８】
通常状態では、第１および第２の電力が供給されており、次の通常の動作を行う。
【００１９】
通常の動作では、ネットワークインタフェース部２０２は、ネットワーク１０２よりパケット化された印刷ジョブを受信すると、メモリ部２０５のワークエリアへ書き込む。制御部２０３は、パケット化された印刷ジョブをネットワークプロトコルに基づいて印刷ジョブに復元した後、画像データに展開してエンジンインタフェース部２０６、エンジンインタフェースバス２０７を介してプリント・エンジン部（不図示）へ送信し印字する。
【００２０】
省電力状態では、第２の電力は供給されるが、第１の電力は供給されず省電力の動作を行う。省電力の動作では、ネットワークインタフェース部２０２および電力制御部２１１みに電力が供給され、通常状態へ復帰するための起動パケットを待ちつづける。起動パケットを受信すると、電力制御部２１１に起動信号２１２が入る。電力制御部２１１は、起動信号２１２を受けると電源２０８に第１の電力２０９を供給するように電力制御信号２１３によって指示を出し、ネットワークインタフェース部２０２および電力制御部２１１以外の各部にも電力が供給され通常状態に復帰する。
【００２１】
図３は、本発明のプリンタにおけるネットワークインタフェース部２０２の構成をよく表す図であり、同図において３０１は内部バス２０４と接続する内部バスインタフェース部、３０２は送信データを一時的に保持する送信バッファ部、３０３はネットワークへのパケット送信を制御する送信制御部、３０４は受信したデータを一時的に保持する受信バッファ部、３０５はネットワークからのパケット受信を制御する受信制御部、３０６は受信制御部内の受信パケットが所定の条件と一致するかを監視する監視部である。
【００２２】
次に動作について説明する。
【００２３】
通常状態の送信は、内部バスインタフェース部３０１を介してパケット化されたデータが送信バッファ３０２に保持され、次に送信制御部３０３はネットワークプロトコルに従ってパケットデータをネットワーク１０２へ送信する。同様に受信は、受信制御部３０５はネットワーク１０２からネットワークプロトコルに従って受信したパケットデータを受信バッファ部３０４に保持し、次に内部バスインタフェース部３０１を介してメモリ部２０５に書き込む。
【００２４】
省電力状態では、受信側の機能のみを有効にし、受信制御部３０５が受信したパケットデータを監視部３０６が所定の条件と一致するかを監視し、一致した場合は内部バスインタフェース部３０１を介して起動信号２１３により電力制御部２１１へ通知する。
【００２５】
図４は、本発明の起動パケットの一例を示すマジックパケットのフォーマットであり、同図において４０１は宛先のMACアドレスを示す宛先アドレス・フィールド、４０２は送信元のMACアドレスを示す送信元アドレス・フィールド、４０３は上位プロトコルを示すタイプ・フィールド、４０４および４０５はデータフィールドであり、マジックパケット特有のデータを示す。４０４には同期化ストリーム"FFFFFFFFFFFF"が、４０５には起動プリンタのMACアドレスを示す値が１６回個連続で入る。４０７はmiscフィールドであり、値とサイズは不定である。４０６はCRC（Cyclic Redundancy Check）の値を示すFCSフィールドである。
【００２６】
起動パケットは上記フォーマットに限るものではない。例えば、独自に規定したフォーマットのパケットによっても本発明は実現可能である。
【００２７】
さらに、４０５の起動プリンタのＭＡＣアドレスを示す値をブロードキャスト・アドレスとすることで同時に複数のプリンタ１０３を起動する設定も可能である。この場合、ネットワークインタフェース部２０２の監視部３０６にブロードキャスト・アドレスを起動条件として設定すればよい。
【００２８】
図５は、ホスト・コンピュータで動作するプリント・ドライバのユーザ・インタフェースの一例を示した図であり、同図において５０１はユーザが印刷する際に表示するドライバ・ダイアログ画面、５０２は起動するプリンタを選択するプリンタ選択プルダウンメニュー、５０３は起動パケットを送信するボタンである。
【００２９】
ユーザは、起動したいプリンタ装置１０３をプリンタ選択プルダウンメニュー５０２から選択し、起動ボタン５０３を選択することで所望のプリンタ装置１０３を省電力状態から通常状態に復帰させることができる。
【００３０】
また、本実施例以外にもプリンタ装置１０３の情報を入力する項目を設け、ユーザがキーボードから直接入力することも可能である。入力する情報としては、ＩＰアドレス、プリンタ名、製品名、製品コード、ＭＡＣアドレス、プリンタのＵＲＬ等が挙げられる。
【００３１】
図６は、本発明のプリンタ１０３におけるホスト・コンピュータ１０１を探索する動作を表すフローチャートであり、同図において後述する探索パケットをネットワーク上のホスト・コンピュータ１０１に対してブロードキャストで送信し(S６０１)、所定の時間待ってから（S６０２）応答が有ったかを判断する（S６０３）。応答があった場合、ネットワーク上にマジックパケットを送信することのできるホスト・コンピュータ１０１が存在するので省電力状態に移行し（S６０４）、応答が得られなかった場合は、マジックパケットを送信することのできるホスト・コンピュータが存在しないので、省電力状態には入らずに終了する。
【００３２】
ここで、探索パケットの送信にUDP（User Datagram Protocol）を利用することにより、ホスト・コンピュータ１０１とプリンタ１０３がそれぞれサブネットを越えたネットワークにある場合でも探索が可能となる。
【００３３】
図８は、本発明のホスト・コンピュータ１０１上で起動するプリント・ドライバにおける探索パケットに対する応答の動作を表すフローチャートであり、同図においてプリンタ１０３から送信された探索パケットを受信するまでループ（S８０１）し、受信するとバージョンフィールド１１０１の値が自装置の対応しているバージョンと一致しているか判別し（S８０２）、一致しなければ応答コードフィールド１１０３に１（バージョンエラー）を設定（Ｓ８０６）して返信（Ｓ８０５）し始めに戻る。一方、一致していれば要求コードフィールド１１０２の値が０（探索）と一致するか判別し（Ｓ８０３）、一致していなければ応答コードフィールド１１０３に２（他のエラー）を設定（Ｓ８０７）して返信（Ｓ８０５）し始めに戻る。一方、一致していれば応答コードフィールドに０（成功）、ドライバ・バージョンフィールド１１０４にプリント・ドライバのバージョンをそれぞれ設定し（Ｓ８０４）、返信（Ｓ８０５）して始めに戻る。
【００３４】
図９は、本発明のプリンタ１０３が省電力状態の時の印刷ジョブ受信動作を表したフローチャートであり、同図において起動パケットを受信するまでループ（Ｓ９０１）し、起動パケットを受信すると省電力状態であるかを判断し（Ｓ９０２）、省電力状態であれば電源部２０８を制御して第1の電力２０９を供給し（Ｓ９０３）通常状態に復帰する。省電力状態でなければ電源部２０８に対する制御は行わない。次に、タイマをセットし（Ｓ９０４）、印刷ジョブを受信したかを判断し（Ｓ９０５）、受信したならば印刷ジョブを処理し（Ｓ９０６）、タイマをリセットして（Ｓ９０７）からＳ９０４に戻る。印刷ジョブを受信しなければ、タイマで設定した時間が経過したかを判断し（Ｓ９０８）、経過していれば電源２０８を制御して第１の電力２０９の供給を停止（Ｓ９０９）して省電力状態に入り、始めに戻る。タイマで設定した時間が経過していなければ、Ｓ９０５に戻る。
【００３５】
図１０は、本発明のホスト・コンピュータ１０１上で動作するプリンタ・ドライバの構成を表す図であり、同図において１００１はホスト・コンピュータ１０１上で動作するプリンタ・ドライバ、１００２は印刷ジョブを生成するジョブ生成モジュール、１０３はインストール時、および任意のタイミングでプリンタ１０３の探索パケットを送信し、応答のあったプリンタ１０３を内部リストに記憶するプリンタ探索／記憶モジュール、１００４はジョブ生成モジュール１００２、およびプリンタ探索／記憶モジュール１００３がネットワークに接続してデータの送受信を行うためのネットワークモジュール、１００５はドライバ・ダイアログ画面５０１を表示してユーザの指示を入力するＵＩモジュールである。
【００３６】
ネットワークモジュール１００３は、ソケットインタフェースを利用したTCP/IPレベルの通信機能と、リンク層ドライバを直接制御する機能を有することでマジックパケットをEthernet（登録商標）フレームとして送信することができる。
【００３７】
図１１は、本発明の探索・応答パケットのブロック図を表す図であり、同図において１１０１はパケットのバージョンを示すバージョンフィールド、１１０２は要求コードを示す要求コードフィールド、１１０３は応答コードを示す応答コードフィールド、１１０４は応答するホスト・コンピュータ１０１上で動作するプリント・ドライバのバージョンを示すドライバ・バージョンフィールドである。
【００３８】
これ以外にも例えばＩＰアドレス、製品名、管理者名等の情報を付加することでより詳細な情報をホスト・コンピュータ１０１から得ることができる。
【００３９】
（第2の実施例）
図１２は、本発明のプリンタの構成をよく表すブロック図であり、同図において２０９は制御部２０３およびメモリ部２０５、エンジンインタフェース部２０６へ電力を供給し、省電力状態では電力の供給を停止する第１の電力、２１４はプリント・エンジン部（不図示）へ電力を供給し、第２の省電力状態では電力の供給を停止するする第3の電力である。
【００４０】
これ以外の構成は図２と同様である。
【００４１】
次に動作について説明する。
【００４２】
通常状態では、第１および第２および第３の電力が供給されており、次の通常の動作を行う。
【００４３】
通常の動作では、ネットワークインタフェース部２０２は、ネットワーク１０２よりパケット化された印刷ジョブを受信すると、メモリ部２０５のワークエリアへ書き込む。制御部２０３は、パケット化された印刷ジョブをネットワークプロトコルに基づいて印刷ジョブに復元した後、画像データに展開してエンジンインタフェース部２０６、エンジンインタフェースバス２０７を介してプリント・エンジン部（不図示）へ送信し印字する。
【００４４】
省電力状態では、第２の電力は供給されるが、第１の電力は供給されず省電力の動作を行う。省電力の動作では、ネットワークインタフェース部２０２および電力制御部２１１のみに電力が供給され、通常状態へ復帰するための起動パケットを待ちつづける。起動パケットを受信すると、電力制御部２１１に起動信号２１２が入る。電力制御部２１１は、起動信号２１２を受けると電源２０８に第１の電力２０９を供給するように電力制御信号２１３によって指示を出し、ネットワークインタフェース部２０２および電力制御部２１１以外の各部にも電力が供給され通常状態に復帰する。
【００４５】
次に、第2の省電力状態では、第１および第２の電力は供給されるが、第3の電力は供給されずプリント・エンジン部（不図示）への電力供給は行われない。この状態では印刷動作は行えないがネットワークを利用した通信は行えるので、省電力状態よりは消費電力が大きくなる。ただし、通常状態よりは消費電力が小さくなる。
【００４６】
図7は、本発明のプリンタ１０３におけるホスト・コンピュータ１０１を探索する動作を表すフローチャートであり、同図においてホストからの応答が得られない場合（Ｓ６０３）、省電力状態よりも消費電力は大きいが、通常常置亜よりは消費電力の小さくネットワークのよる通信が可能な第2の省電力状態に移行する（Ｓ１３０１）。
【図面の簡単な説明】
【００４７】
【図１】本発明の第1の実施例に係るシステム構成を説明するブロック図である。
【図２】本発明の第1の実施例に係るプリンタ装置の構成を説明するブロック図である。
【図３】本発明の第1の実施例に係るプリンタ装置におけるネットワークインタフェース部の構成を説明するブロック図である。
【図４】本発明の第1の実施例に係るパケットの構成を説明する図である。
【図５】本発明の第1の実施例に係るプリント・ドライバ画面の構成を説明する図である。
【図６】本発明の第1の実施例に係るプリンタ装置におけるホスト・コンピュータの探索動作を説明するフローチャート図である。
【図７】本発明の第２の実施例に係るプリンタ装置におけるホスト・コンピュータの探索動作を説明するフローチャート図である。
【図８】本発明の第1の実施例に係るホスト・コンピュータ装置における探索応答動作を説明するフローチャート図である。
【図９】本発明の第1の実施例に係るプリンタ装置における起動およびジョブ受信動作を説明するフローチャート図である。
【図１０】本発明の第1の実施例に係るプリント・ドライバの構成を説明するブロック図である。
【図１１】本発明の第１の実施例に係る探索・応答パケットの構成を説明するブロック図である。
【図１２】本発明の第２の実施例に係るプリンタ装置の構成を説明するブロック図である。
【符号の説明】
【００４８】
１０１  ホスト・コンピュータ
１０２  ネットワーク
１０３  プリンタ
２０２  ネットワークインタフェース部
２０３  制御部
２０４  内部バス
２０５  メモリ部
２０６  エンジンインタフェース部
２０７  エンジンインタフェースバス
２０８  電源部
２０９  第1の電力
２１０  第2の電力
２１１  電力制御部
２１２  起動信号
２１３  電力制御信号
２１４  第３の電力
３０１  内部バスインタフェース部
３０２  送信バッファ部
３０３  送信制御部
３０４  受信バッファ部
３０５  受信制御部
３０６  監視部
４０１  宛て先アドレス・フィールド
４０２  送信元アドレス・フィールド
４０３  タイプ・フィールド
４０４  同期化ストリーム・データ"ＦＦＦＦＦＦＦＦＦＦＦＦ"
４０５  データ"起動プリンタのアドレス×16個"
４０６  ＦＣＳフィールド
４０７  Miscフィールド
５０１  プリント・ダイアログ画面
５０２  プリンタ選択メニュー
５０３  起動ボタン
１００１  プリント・ドライバ
１００２  ジョブ生成モジュール
１００３  プリンタ探索／記憶モジュール
１００４  ネットワークモジュール
１００５  ＵＩモジュール
１１０１  バージョンフィールド
１１０２  要求コードフィールド
１１０３  応答コードフィールド
１１０４  ドライバ・バージョンフィールド
【図１】
2006350800.tif 000003
【図２】
2006350800.tif 000004
【図３】
2006350800.tif 000005
【図４】
2006350800.tif 000006
【図５】
2006350800.tif 000007
【図６】
2006350800.tif 000008
【図７】
2006350800.tif 000009
【図８】
2006350800.tif 000010
【図９】
2006350800.tif 000011
【図１０】
2006350800.tif 000012
【図１１】
2006350800.tif 000013
【図１２】
2006350800.tif 000014